(57)【要約】【課題】操作ノブを傾くことなく確実に取り付けることができ、操作性を向上させることができるスイッチ用操作ノブの取付構造を提供すること。【解決手段】文字板２０と、該文字板２０の裏方向に配置された回路基板３０と、文字板２０および回路基板３０を保持するケーシング１０とを有する車両用計器において、回路基板３０に実装されたスイッチ３２を文字板２０の表方向から操作する操作ノブ８０を、ケーシング１０で保持すると共に文字板２０に形成された貫通穴２０ｇを貫通させて取り付けるための操作ノブ８０の取付構造であって、文字板２０と回路基板３０の間に、文字板２０の厚さの少なくとも数倍の厚さを有すると共にＵ字状切欠部（貫通部）４０Ａ１が形成された導光板４０が配置され、該導光板４０のＵ字状切欠部（貫通部）４０Ａ１を貫通させて操作ノブ８０を支持する。【選択図】図１
2005302583.tif 000002
【特許請求の範囲】
【請求項１】
文字板と、該文字板の裏方向に配置された回路基板と、前記文字板および前記回路基板を保持するケーシングとを有する車両用計器において、前記回路基板に実装されたスイッチを前記文字板の表方向から操作する操作ノブを、前記ケーシングで保持すると共に前記文字板に形成された貫通穴を貫通させて取り付けるための操作ノブの取付構造であって、
前記文字板と前記回路基板の間に、前記文字板の厚さの少なくとも数倍の厚さを有すると共に貫通部が形成された導光板が配置され、該導光板の貫通部を貫通させて前記操作ノブを支持するようにした
ことを特徴とする操作ノブの取付構造。
【請求項２】
請求項１記載の操作ノブの取付構造において、
前記導光板には、前記貫通部となるＵ字状切欠部が形成され、前記Ｕ字状切欠部を形成する円弧部分の直径は、前記操作ノブの径より大きく、かつ文字板の貫通穴の直径と同じかそれより小さく設定されている
ことを特徴とする操作ノブの取付構造。
【請求項３】
請求項２記載の操作ノブの取付構造において、
前記ケーシングには、前記操作ノブを収容する操作ノブ収容部が形成され、
前記操作ノブは、本体部と、前記本体部から一方に伸び、前記文字板の貫通穴および前記導光板の貫通部を貫通するほぼ円柱形状の操作部と、前記本体部から他方に伸び、前記スイッチを押圧するための押圧部とを有し、
前記本体部には、さらに、他方に伸びる弾性係止部が設けられ、
前記弾性係止部の先端には、係止爪が形成されており、
前記本体部は、前記ケーシングの操作ノブ収容部に収容され、
前記係止爪は、前記操作ノブ収容部の端面に係止される
ことを特徴とする操作ノブの取付構造。
【請求項４】
請求項１から３のいずれか１項に記載の操作ノブの取付構造において、
前記スイッチは、トリップメータのリセットスイッチである
ことを特徴とする操作ノブの取付構造。
【発明の詳細な説明】
【技術分野】
【０００１】
本発明は、スイッチ用操作ノブの取付構造に関する。
【背景技術】
【０００２】
従来のスイッチ用操作ノブの取付構造として、車両用計器のトリップメータのリセットスイッチ部分で実施されているものがある（特許文献１）。
【０００３】
図５は、上述のスイッチ用操作ノブの取付構造を示す断面図である。図５において、車両用計器は、樹脂製のケーシング１０と、該ケーシング１０に組み付けられた文字板２０、回路基板３０、導光板４０およびフロントパネル５０を備えている。回路基板３０には、トリップメータのリセットスイッチ３２が実装されている。リセットスイッチ３２に操作者の操作力を伝達する操作力伝達部材として、円柱形状の樹脂製の操作ノブ８０と弾性部材８１とが設けられている。リセットスイッチ３２の直上部分のケーシング１０、文字板２０およびフロントパネル５０には、それぞれ、貫通穴１０ｇ、２０ｇ、５０ｇが形成されている。そして、この貫通穴１０ｇには弾性部材８１が配置され、貫通穴２０ｇ、５０ｇには、操作ノブ８０が貫通するように配置されている。
【０００４】
この操作ノブ８０は、操作力に対して剛性を保つようになっており、矢印Ａの方向に動かされて、操作者の操作力を、弾性部材８１を介してリセットスイッチ３２に伝達する。また、操作ノブ８０には、その外周に突出する突出部８０ａが形成されている。この突出部８０ａにより、操作ノブ８０の先端は、文字板２０の貫通穴２０ｇから抜け出ないようにされている。
【特許文献１】特開２００１−２９８２８７号公報
【発明の開示】
【発明が解決しようとする課題】
【０００５】
しかしながら、上述の取付構造では、次のような問題がある。
（１）文字板２０のような薄い板で固定されていることで、文字板２０が歪んだ時に、操作ノブ８０が外れてしまうことがある。
（２）フロントパネル５０と文字板２０との距離が短いと、ノブが傾いてしまうことがある。そして、車両用計器の組付け時においても、操作ノブ８０が傾くことにより、フロントパネル５０の組付け性が悪くなることがある。
（３）操作ノブ８０と文字板２０との干渉により、文字板２０の浮き、ズレが発生したり、操作ノブ８０の操作性が低下したりすることがある。
【０００６】
そこで本発明は、上述した従来の問題点に鑑み、操作ノブを傾くことなく確実に取り付けることができ、操作性を向上させることができるスイッチ用操作ノブの取付構造を提供することを目的としている。
【課題を解決するための手段】
【０００７】
請求項１記載の発明は、文字板と、該文字板の裏方向に配置された回路基板と、前記文字板及び前記回路基板を保持するケーシングとを有する車両用計器において、前記回路基板に実装されたスイッチを前記文字板の表方向から操作する操作ノブを、前記ケーシングで保持すると共に前記文字板に形成された貫通穴を貫通させて取り付けるための操作ノブの取付構造であって、前記文字板と前記回路基板の間に、前記文字板の厚さの少なくとも数倍の厚さを有すると共に貫通部が形成された導光板が配置され、該導光板の貫通部を貫通させて前記操作ノブを支持するようにしたことを特徴とする。
【０００８】
請求項２記載の発明は、請求項１記載の操作ノブの取付構造において、前記導光板には、前記貫通部となるＵ字状切欠部が形成され、前記Ｕ字状切欠部を形成する円弧部分の直径は、前記操作ノブの径より大きく、かつ文字板の貫通穴の直径と同じかそれより小さく設定されていることを特徴とする。
【０００９】
請求項３記載の発明は、請求項２記載の操作ノブの取付構造において、前記ケーシングには、前記操作ノブを収容する操作ノブ収容部が形成され、前記操作ノブは、本体部と、前記本体部から一方に伸び、前記文字板の貫通穴および前記導光板の貫通部を貫通するほぼ円柱形状の操作部と、前記本体部から他方に伸び、前記スイッチを押圧するための押圧部とを有し、前記本体部には、さらに、他方に伸びる弾性係止部が設けられ、前記弾性係止部の先端には、係止爪が形成されており、前記本体部は、前記ケーシングの操作ノブ収容部に収容され、前記係止爪は、前記操作ノブ収容部の端面に係止されることを特徴とする。
【００１０】
請求項４記載の発明は、請求項１から３のいずれか１項に記載の操作ノブの取付構造において、前記スイッチは、トリップメータのリセットスイッチであることを特徴とする。
【発明の効果】
【００１１】
請求項１記載の発明によれば、操作ノブの取付に導光板の一部を利用することにより、操作ノブを傾かないように支持することができ、操作ノブの操作性および組付け作業性が向上する。
【００１２】
請求項２記載の発明によれば、導光板のＵ字状切欠部に操作ノブが支えられるので、操作ノブは、傾くことなく、確実に取り付けることができる。また、Ｕ字状切欠部は、操作ノブの径より大きく形成されているので、操作ノブの上下動に対して影響を与えない。
【００１３】
請求項３記載の発明によれば、操作ノブを傾かないように支持することができ、操作ノブの操作性および組付け作業性が向上すると共に、操作ノブの抜け防止になる。
【００１４】
請求項４記載の発明によれば、トリップメータのリセットスイッチの操作性を向上させることができる。
【発明を実施するための最良の形態】
【００１５】
以下、本発明の実施の形態について図面を参照して説明する。なお、この実施の形態では、図５に示す従来例と同様に、車両用計器のトリップメータのリセットスイッチ部分で実施されている場合について説明する。また、図５と同じ構成要素には、同一符号を付して説明する。
【００１６】
図１は、本発明に係るスイッチ用操作ノブの取付構造の実施の形態を示す分解斜視図、図２は、図１における部分拡大斜視図、図３は、図１におけるＸ−Ｘ線断面図、図４は、図１におけるＹ−Ｙ線断面図である。なお各図において、一部の構成要素は、説明を簡単にするために省略されている。
【００１７】
車両用計器は、合成樹脂製のケーシング１０と、該ケーシング１０に組み付けられた文字板２０、回路基板３０、導光板４０およびフロントパネル５０を備えている。
【００１８】
回路基板３０には、トリップメータのリセットスイッチ３２が実装されている。このリセットスイッチ３２はプッシュ式スイッチである。また、回路基板３０には、後述する操作ノブ８０の係止爪８０Ｄ１を逃がすための貫通穴３０ｇが形成されている。
【００１９】
リセットスイッチ３２に操作者の操作力を伝達する操作力伝達部材として、円柱形状部分を有する合成樹脂製の操作ノブ８０が設けられている。操作ノブ８０は、外形がほぼ箱形の本体部８０Ａと、本体部８０Ａの上面のほぼ中央から上方に伸びる一体形成されたほぼ円柱形状の操作部８０Ｂと、本体部８０Ａの下面のほぼ中央から下方に伸びるように一体形成されたほぼ円柱形状の押圧部８０Ｃを有する。本体部８０Ａには、その対向する二隅からそれぞれ下方に伸びるように一体形成された弾性係止部８０Ｄが設けられている。弾性係止部８０Ｄの先端には、係止爪８０Ｄ１が形成されている。
【００２０】
リセットスイッチ３２の直上部分のケーシング１０には、操作ノブ収容部１０ａが形成されている。この操作ノブ収容部１０ａは、上下に開口を有し、操作ノブ８０のほぼ箱形の本体部８０Ａを収容することができる部屋形状に形成されている。また、操作ノブ収容部１０ａは、ケーシング１０にネジ等で固定された回路基板３０に実装されているリセットスイッチ３２を、その下部に収容するように位置決めされている。
【００２１】
文字板２０およびフロントパネル５０には、それぞれ、貫通穴２０ｇおよび５０ｇが形成されている。貫通穴２０ｇおよび５０ｇは、操作ノブ８０の操作部８０Ｂの径より大きな直径を有する円形に形成されている。
【００２２】
円弧状の導光板４０は、文字板２０の厚さの少なくとも数倍の厚さを有し、その一方の端部から突出するように一体形成された操作ノブ押さえ部４０Ａに貫通部としてのＵ字状切欠部４０Ａ１が形成されている。Ｕ字状切欠部４０Ａ１を形成する円弧部分の直径は、操作ノブ８０の操作部８０Ｂの径より大きく、かつ文字板２０の貫通穴２０ｇの直径と同じかそれより小さく設定されている。
【００２３】
そして、操作ノブ８０の操作部８０Ｂは、文字板２０の貫通穴２０ｇ、導光板４０のＵ字状切欠部４０Ａ１およびフロントパネル５０の５０ｇをそれぞれ貫通するように配置されている。
【００２４】
次に、操作ノブ８０の組付け方法について説明する。組付け時、回路基板３０がネジ等で固定されたケーシング１０の操作ノブ収容部１０ａに、上方から操作ノブ８０の弾性係止部８０Ｄを挿入し、本体部８０Ａを操作ノブ収容部１０ａに収容する。このとき、弾性係止部８０Ｄの係止爪８０Ｄ１は、操作ノブ収容部１０ａの内壁に当たりながら下方へ移動し、最後に、操作ノブ収容部１０ａの下側開口の端面に係止される。係止時、係止爪８０Ｄ１は、回路基板３０の貫通穴３０ｇに入り込む。係止が完了した時、操作ノブ８０の押圧部８０Ｃは、リセットスイッチ３２の直上に位置決めされる。
【００２５】
次いで、ケーシング１０の凹部１０ｂに導光板４０が嵌合される。この嵌合時、操作ノブ押さえ部４０ＡのＵ字状切欠部４０Ａ１が、操作ノブ８０の操作部８０Ｂにはめ込まれる。
【００２６】
次いで、貫通穴２０ｇに操作ノブ８０の操作部８０ｂを貫通させながら、導光板４０の上に文字板２０が載置される。次に、貫通穴５０ｇに操作ノブ８０の操作部８０ｂを貫通させながら、フロントパネル５０がケーシング１０に固定される。このようにして、操作ノブ８０の組付けが完了する。
【００２７】
組付け完了後、操作ノブ８０が操作者の操作力により押し下げられると、押圧部８０Ｃがリセットスイッチ３２に当たって、操作力が伝達され、リセットスイッチ３２が作動する。
【００２８】
このように、操作ノブ８０が組み付けられる際、本体部８０Ａが操作ノブ収容部１０ａに収容され、係止爪８０Ｄ１が操作ノブ収容部１０ａの下側開口の端面に係止されると共に、操作ノブ８０の操作部８０Ｂの径より大きく、かつ文字板２０の貫通穴２０ｇの直径と同じかそれより小さく設定されている円弧部分を有する、導光板４０の操作ノブ押さえ部４０ＡのＵ字状切欠部４０Ａ１に操作部８０Ｂが支えられるので、操作ノブ８０は、傾くことなく、確実に取り付けることができる。
【００２９】
また、Ｕ字状切欠部４０Ａ１は、操作ノブ８０の操作部８０Ｂの径より大きく形成されているので、操作ノブ８０の上下動に対して影響を与えない。また、操作ノブ押さえ部４０Ａの裏面に対し、操作ノブ８０の本体部８０Ａの上面が接触することにより、操作ノブ組付け後の抜け防止効果がある。
【００３０】
以上のように、操作ノブ８０の取付に導光板４０の一部を利用することにより、導光板４０を固定すると同時に、操作ノブ８０を固定することができ、組付け作業性が向上する。また、操作ノブ８０の抜け防止になると共に、傾き防止になる。
【００３１】
以上の通り、本発明の実施の形態について説明したが、本発明はこれに限らず、種々の変形、応用が可能である。
【００３２】
たとえば、上述の実施の形態では、導光板４０の操作ノブ押さえ部４０Ａには、貫通部としてＵ字状切欠部４０Ａ１が形成されているが、Ｕ字状切欠部４０Ａ１に代えて、操作ノブ８０の操作部８０Ｂの径より大きく、かつ文字板２０の貫通穴２０ｇの直径と同じかそれより小さい直径を有する貫通穴を貫通部として形成しても良い。
【図面の簡単な説明】
【００３３】
【図１】本発明に係るスイッチ用操作ノブの取付構造の実施の形態を示す分解斜視図である。
【図２】図１における部分拡大斜視図である。
【図３】図１におけるＸ−Ｘ線断面図である。
【図４】図１におけるＹ−Ｙ線断面図である。
【図５】従来のスイッチ用操作ノブの取付構造を示す断面図である。
【符号の説明】
【００３４】
１０  ケーシング
１０ａ  操作ノブ収容部
２０  文字板
２０ｇ  貫通穴
３０  回路基板
３２  リセットスイッチ（スイッチ）
４０  導光板
４０Ａ１  Ｕ字状切欠部（貫通部）
５０  フロントパネル
８０  操作ノブ
８０Ａ  本体部
８０Ｂ  操作部
８０Ｃ  押圧部
８０Ｄ  弾性係止部
８０Ｄ１  係止爪
【図１】
2005302583.tif 000003
【図２】
2005302583.tif 000004
【図３】
2005302583.tif 000005
【図４】
2005302583.tif 000006
【図５】
2005302583.tif 000007